(57)【要約】【課題】標的の背後に築いた築堤に食い込んだり周辺に飛散したりした銃弾を回収することは非常に困難であり、ほとんど回収作業は行われず、特に、室内の射撃場においては、作業用重機の使用ができないために回収が行えないという問題がある。【解決手段】標的の背後に、表面材、緩衝材および耐力材の３層によって構成される受衝板を銃弾の衝撃に対して移動可能となるように設置したことを特徴とする。【選択図】        図１
2004190941.tif 000002
【特許請求の範囲】
【請求項１】
標的の背後に、表面材、緩衝材および耐力材の３層によって構成される受衝板を銃弾の衝撃に対して移動可能となるように設置したことを特徴とする銃弾着弾装置。
【請求項２】
請求項１において、受衝板の一側を、構造体に回動可能に支持したことを特徴とする銃弾着弾装置。
【請求項３】
請求項１において、受衝板を、剛構造によって構成した構造体に、緩衝体を介して固定支持したことを特徴とする銃弾着弾装置。
【請求項４】
請求項１において、受衝板の表面材、緩衝材および耐力材の各材を分離独立させ、それぞれを交換可能としたことを特徴とする銃弾着弾装置。
【請求項５】
請求項１において、受衝板の下側に溝を設け、該溝の内面を表面材および緩衝材で覆ったことを特徴とする銃弾着弾装置。
【発明の詳細な説明】
【０００１】
【発明の属する技術分野】
本発明は、ピストル射撃、ライフル射撃等の射撃場における銃弾着弾装置に関する。
【０００２】
【従来の技術】
各種射撃に用いられる銃弾は、主に鉛が用いられており、射撃場で使用される銃弾の量は非常に大量である。
そこで、従来は標的の後部や着弾場所は砂や土で築堤を構築したり、地山を利用したりして銃弾の飛散を防ぐようにしている。
【０００３】
【発明が解決しようとする課題】
このような従来技術によると、築堤等に食い込んだり周辺に飛散したりした銃弾を回収することは非常に困難であり、ほとんど回収作業は行われず、特に、室内の射撃場においては、作業用重機の使用ができないために回収が行えないという問題がある。
【０００４】
【課題を解決するための手段】
そこで本発明は、標的の背後に、表面材、緩衝材および耐力材の３層によって構成される受衝板を銃弾の衝撃に対して移動可能となるように設置したことを特徴とする。
【０００５】
【発明の実施の形態】
以下に本発明の実施の形態例を図面を用いて説明する。
第１実施の形態例
図１は断面説明図、図２は断面拡大説明図である。
図において、１は標的の背後に配置される所定形状の受衝板であり、表面材２、緩衝材３および耐力材４の３層によって構成されている。この受衝板１は銃弾の衝撃に対して移動可能となるようにその一側、本実施の形態例では上端が回転支持部５によって構造体に回動可能に吊り下げられている。
【０００６】
ピストル射撃やライフル射撃のように標的が必要な場合には、この表面部２の前方の所定位置に設けるかもしくは表面材２に直接設けられる。
上記表面材２は、天然繊維、合成繊維、金属繊維もしくはこれらの混合繊維を高密度に織った布や不織布を積層させたような強靱で可撓性がある材料であり、銃弾の衝突時の熱に耐えしかも形状を保持し、耐久性のあるものである。さらに、それをゴムや合成樹脂で覆ったりゴムや合成樹脂を布に混入もしくは浸透させてもよい。
【０００７】
さらに、他の材料としては、天然材料でもよく、比較的入手し易いものとしては皮革がよい。
上記緩衝材３は、図３に示す如く、ゴムや合成樹脂等の可撓性弾性材３１の中に、天然繊維、合成繊維、金属繊維もしはこれらの混合繊維の織布もしくは不織布または鉄板等の応力材３２を互層積層状態に埋設した複合構造がよい。この場合の繊維は、変形性が要求されるために、必ずしも表面材２のように高密度に構成されている必要はなく、汎用繊維でもよい。
【０００８】
これによって、銃弾の衝撃力の減少とエネルギーの吸収をはかって表面材２の耐久性を向上させることができ、しかも表面材２で銃弾を停止させることができる。
上記耐力材４は、銃弾の運動エネルギーに対抗できる重量があり、銃弾の衝撃力を対して移動可能となるように図４、図５に示す如く、ヒンジ等の回転支持部５によって振り子運動に変えるように一側が支持されている。その材料は鋼板が最適であるが、合成樹脂板や合成樹脂と鋼鉄の複合材、コンクリート材でもよい。
【０００９】
この耐力材４の上端には上記した回転支持部５が取り付けられている。この回転支持部５は、受衝板１が受けた銃弾の衝撃力を振り子運動として受けるもので、衝撃を受けると瞬間的に回転を始めることになる。
そこで、回転支持部５は、通常の軸受け装置による転がり部材でもよいが、銃弾は必ずしも受衝板１の中央に衝突するばかりではないために、中心以外の個所に当たると偏心した動きになるために、その偏心を吸収することができる構造であるとよい。さらに、受衝板１はかなりの重量物であり、しかも大きな衝撃力をうけるために耐荷重性が要求される。
【００１０】
そこで、回転支持部５は、例えば図６、図７に示す如く、ゴムや合成樹脂の中に天然繊維、合成繊維、金属繊維もしくはこれらの混合繊維の織布もしくは不織布を互層積層状態に埋設した複合材６を軸７の周囲に設けた緩衝軸８による回転支持部とすることにより、外力に対して変位が可能な構造となり、受衝板１の不整列な動きを吸収することができ軸７や取り付け側に対して偏心力を与えることがなく、また、衝撃力が作用したときには取り付け側に対して緩衝軸８が変形して面接触となり、集中荷重の発生がなく円滑な回動となる。
【００１１】
なお、その回転支持部５にも銃弾が当たる可能性があるために、図４に示す如く、取り付け部９を表面材２と緩衝材３によって表面側を被覆して保護しておくとよい。
このように表面材２、緩衝材３および耐力材４の３層によって構成される受衝板１は、表面材２、緩衝材３および耐力材４を接着させて一体に構成してもよいが、それぞれの機能を考えると一側例えば上端だけ固定して一体にして他の部分は密着していない分離独立した構造としておくとよい。
【００１２】
つまり、それぞれが上端以外では分離独立していても、銃弾が衝突したときは、衝突の慣性力により、耐力材４を重量体としておけば必ず一体となった移動運動が発生する。
また、各材は均等に破損するものではなく、表面材２や緩衝材３の破損が一番激しい等の理由によって各材が個別に取り替えられることが望ましい。
【００１３】
しかし、各材が分離していると屋外の場合、風等によって重量が異なる各材は動きに差が出て破損するおそれがある。そのような場合、各材間への風の侵入を防ぐために、周辺部および必要と思われる個所を粘着材や面ファスナー等の分離可能な手段によって部分的に密着させておくとよい。
この密着の構造例は、図８に示す如く、耐力材４と緩衝材３の周辺および所望の個所を粘着剤や面ファスナー等の密着材１０で密着させるか、さらに緩衝材３と表面材２の周辺および所望の個所を密着材１０で係止状態にする。このようにすることにより、損傷が激しい表面材２や緩衝材３をそれぞれ個別に取り替えることができ、しかも、耐力材４に回転支持部５を設けておくことにより、回転支持部５を外すことなく表面材２もしくは緩衝材３だけを随時取り替えることができる。
【００１４】
また、特に破損の激しい表面材２や緩衝材３の中心付近だけ取り替えられるように表面材２や緩衝材３を複数に分割可能にしてそれぞれが緩衝材３と周辺で密着しているようにしておくとよい。
このようにした受衝板１は、各標的毎に上記の構造で単独で配置されるか、各標的の背後に連続して配置されるかは射撃場の条件によって決まってくる。
【００１５】
そこで、連続して配置される場合は、各受衝板１を接続することになる。その構成は、図９に示す如く、隣接する受衝板１の端部を連結板１１によって連結する。この連結板１１は、受衝板１と同様に表面材２、緩衝材３および耐力材４の３層によって構成されており、受衝板１の耐力材４に設けたボルト等の係止具１２にナット等の固定具１３で取り付ける。
【００１６】
また、隣接する射座から発射される銃弾には時間差があり、受衝板１は同時には衝突の衝撃を受けず、場合によっては受衝板１が偏心することがある。しかも銃弾は形状が小型で超高速であることから僅かな隙間でも貫通してしてしまうことが考えられる。
このことから、隣接する受衝板１の端側部を背後で連結板１１で連結する。この連結は、どのような構造でもよいが、例えば図９に示す如く、係止具１２の受衝板１の端側部の背後にバネやゴム等の弾性体１４を設けておくとにより、受衝板１の動きに差が生じてもこの弾性体１４がその差を吸収もしくは減衰させることができることになる。なお、この連結板１１は受衝板１の端側部の全長にわたって配置しておくことにより、隙間からの銃弾の侵入を防ぐことができる。
【００１７】
このような受衝板１は、銃弾の衝撃を受けるとそれによって回転または後退等の移動をすることになる。このとき、つぎの銃弾の衝突までに静止するだけの時間が確保できればよいが、一般にはその時間はなく続けて次の銃弾が衝突する。そこで、図１０に示す如く、受衝板１の下部の移動を制限する静止材１５を受衝板１と適当な間隔を保って設けておくとよい。１６は弾性材による緩衝材である。
【００１８】
この静止材１５は、受衝板１の下部の全幅を支持する幅を有する板状の構造か、杭状に複数本に分けた構造等どのような構造でももよい。また、その少なくとも表面側は受衝板１と同様な緩衝作用を有する構造としておくと受衝板１の回転や移動のエネルギーの吸収をすると共に銃弾が当たった場合の保護になる。
つぎに、受衝板１の下方には銃弾収集用の溝１７を設けておく。この溝１７は、受衝板１に衝突した銃弾が落下するところであり、その落下した際に、飛び散らないようにしてある。
【００１９】
そこで、この溝１７の内面およびその周辺を、上記受衝板１と同様の構造の被覆材１８もしくは表面材２、緩衝材３の２層構造の被覆材１８で覆ってある。
この２層構造の被覆材１８の場合には、被覆材１８の下の地面の表面もしくはその少し下部に埋設した状態で金網を配置しておくとよい。
この溝１７の内面およびその周辺の基礎面は、土構造もしくはコンクリート構造でもよいが、室外の場合には排水が考慮されるとよく、そのためには多少の傾斜がつけてあるとよく、その端部には沈殿槽を設けておき、銃弾の破片が回収できるようにしておく。
【００２０】
なお、上記の説明は陸上における射撃場として説明を行ったが、図示しないが、船舶上（内）に構成しても同様であり、その場合、溝１７は必ずしも甲板（床面）より低くした構造でなくてもよく、金属製、合成樹脂製もしくはそれらの複合材製等の溝状構造体の内面を上記被覆材１８で覆った構造とし、それを受衝板１の下の甲板上に設置した状態としてもよい。また、甲板面より低い溝や甲板面上に設置した溝等どのような溝構造にしてもその周囲の甲板面にも被覆材１８を敷いておく。
【００２１】
以上説明した本実施の形態によると、銃弾が衝突してもその衝撃力は受衝板１が回転支持部５によって回動移動することによって緩衝され、さらに表面材２および緩衝材３によって跳弾することなく、しかも銃弾はどのような状態でも最終的には耐力材４は貫通することがないために、安全でしかも耐久性のある銃弾着弾装置となる。
【００２２】
第２実施の形態例
本実施の形態例は、受衝板１の支持構造が吊下支持構造ではなく、図１１に示すような固定支持構造であり、表面材２、緩衝材３および耐力材４の構造は上記第１実施の形態例と同様であるために説明は省略する。
このように表面材２、緩衝材３および耐力材４の３層によって構成される受衝板１は、上記第１実施の形態例と同様に表面材２、緩衝材３および耐力材４を接着させて一体に構成してもよいが、それぞれの機能を考えると一側だけ、本実施の形態例では上端で一体にした分離可能な構造にするとよい。
【００２３】
つまり、それぞれが一側以外では分離独立していても、銃弾が衝突したときは、衝突の慣性力により、耐力材４を重量体としておけば必ず一体となった移動運動が発生するため、分離しておいてもよい。さらに、各材は均等に破損するものではなく、表面材２や緩衝材３の破損が一番激しい等の理由によって各材が個別に取り替えられることが望ましい。
【００２４】
しかし、各材が分離していると屋外の場合、風等によって重量が異なる各材は動きに差が出て破損するおそれがある。そのような場合、各材間への風の侵入を防ぐために、周辺部および必要と思われる個所を粘着剤や面ファスナー等の密着材１０による分離可能な手段によって部分的に密着させておくとよい。
また、特に破損の激しい表面材２や緩衝材３の中心付近だけ取り替えられるように表面材２や緩衝材３を複数に分割可能にしてそれぞれが緩衝材３と周辺で密着しているようにしておくとよい。
【００２５】
このような受衝板１が移動可能となるように、耐力材４の後部を、重量構造等の剛構造によって構成した構造体１９に、支持軸２０によってばねやシリンダ等の緩衝体２１を介して固定支持する。この、固定個所は図示する如く、複数による固定でもよいが、一か所の固定でもよい。
なお、このようにした受衝板１は、各標的毎に上記の構造で単独で配置されるか、各標的の背後に連続して配置されるかは射撃場の条件によって決まってくる。連続配置の場合には、各標的毎の構造体１９で固定することになる。
【００２６】
また、受衝板１の下に形成する溝１７は上記第１実施の形態例で説明した構造と同様でよく、その説明は省略する。船舶に設置する場合も同様である。
以上の構成によっても、銃弾が衝突してもその衝撃力は緩衝体２１によって緩衝され、さらに上記第１実施の形態例と同様に表面材２および緩衝材３によって跳弾することなく、しかも銃弾はどのような状態でも最終的には耐力材４は貫通することがないために、安全でしかも耐久性のある銃弾着弾装置となる。
【００２７】
【発明の効果】
以上詳細に説明した本発明によると、標的の背後に、表面材、緩衝材および耐力材の３層によって構成される受衝板を移動可能に設置することにより、発射された銃弾の衝撃を受衝板の移動によって緩衝し、さらに表面材と緩衝材で跳弾させることなく受けることができ、しかも耐力材によって銃弾の貫通を防ぐことができるために、安全でしかも耐久性のある銃弾回収が行える効果を有する。
【００２８】
また、表面材、緩衝材および耐力材の３層を密着固定させないでそれぞれを分離独立状態としておくことにより、銃弾の衝撃に対する緩衝性にすぐれ、しかも各材を破損状態に合わせて個別に交換することができ、その交換の作業性もよいという効果がある。
【図面の簡単な説明】
【図１】第１実施の形態例の断面説明図
【図２】断面拡大説明図
【図３】緩衝材の拡大説明図
【図４】耐力材の回転支持部の説明図
【図５】耐力材の回転支持部の説明図
【図６】回転支持部の正面説明図
【図７】回転支持部の側面説明図
【図８】密着材による密着状態の説明図
【図９】連結板の説明図
【図１０】静止材の説明図
【図１１】第２実施の形態例の断面説明図
【符号の説明】
１  受衝板
２  表面材
３  緩衝材
４  耐力材
５  回転支持部
６  複合材
７  軸
８  緩衝軸
９  取り付け部
１０  密着材
１１  連結板
１２  係止具
１３  固定具
１４  弾性体
１５  静止材
１６  緩衝材
１７  溝
１８  被覆材
１９  構造体
２０  支持軸
２１  緩衝体
【図１】
2004190941.tif 000003
【図２】
2004190941.tif 000004
【図３】
2004190941.tif 000005
【図４】
2004190941.tif 000006
【図５】
2004190941.tif 000007
【図６】
2004190941.tif 000008
【図７】
2004190941.tif 000009
【図８】
2004190941.tif 000010
【図９】
2004190941.tif 000011
【図１０】
2004190941.tif 000012
【図１１】
2004190941.tif 000013